(57)【要約】【課題】レンズ交換式のカメラシステムにおいて、様々な種類の交換レンズを適切に機能させることができるアダプターを提供する。【解決手段】第１マウント部に装着されたカメラボディ内の基準電位となる端子に対してそれぞれ接続される第１端子および第２端子と、接続状態を導通状態と遮断状態との何れかに切替える切替部と、第１端子に切替部を介して接続され第２マウント部に装着された交換レンズ内の基準電位となる端子に対して接続される第３端子と、第２端子と接続され、第２マウント部に装着された交換レンズ内の基準電位となる端子に対して接続される第４端子と、第３端子の電位に応じて、交換レンズが装着されている状態であるか否かを示す検出レベルを前記カメラボディに対して提供する装着状態検出端子と、第２マウント部に交換レンズが装着されていない状態であると検出した場合、切替部を遮断状態に制御する制御部と、を備える。【選択図】図１
2013171077.tif 000002
【特許請求の範囲】
【請求項１】
カメラボディを着脱可能な第１マウント部と、
前記第１マウント部とは別に設けられており、交換レンズを着脱可能な第２マウント部と、
前記第１マウント部に装着された前記カメラボディ内の基準電位となる端子に対してそれぞれ接続される第１端子および第２端子と、
接続状態を導通状態と遮断状態との何れかに切替える切替部と、
前記第１端子に前記切替部を介して接続され、前記第２マウント部に装着された前記交換レンズ内の基準電位となる端子に対して接続される第３端子と、
前記第２端子と接続され、前記第２マウント部に装着された前記交換レンズ内の基準電位となる端子に対して接続される第４端子と、
前記第３端子の電位に応じて、前記交換レンズが装着されている状態であるか否かを示す検出レベルを前記カメラボディに対して提供する装着状態検出端子と、
前記第２マウント部に前記交換レンズが装着されている状態であるか否かを検出するとともに、前記第２マウント部に前記交換レンズが装着されていない状態であると検出した場合、前記切替部を遮断状態に制御する制御部と、
を備えることを特徴とするアダプター。
【請求項２】
前記装着状態検出端子は、
所定の回路を介して前記第３端子に接続されており、
前記切替部が遮断状態である場合において、前記第３端子が、前記第２マウント部に装着された前記交換レンズ内の回路を経て、前記第４端子、および前記第２端子を介して前記カメラボディ内の基準電位となる端子に接続されることにより、前記カメラボディ内の基準電位に応じた電位を前記交換レンズが装着されている状態であることを示す前記検出レベルとして提供する
ことを特徴とする請求項１に記載のアダプター。
【請求項３】
前記装着状態検出端子は、
前記第２マウント部に前記交換レンズが装着されていない状態から装着されている状態になった場合に、前記カメラボディ内の基準電位に応じた電位を前記検出レベルとして提供する
ことを特徴とする請求項２に記載のアダプター。
【請求項４】
前記制御部は、
前記装着状態検出端子が、前記交換レンズが装着されている状態であることを示す検出レベルになることに応じて、前記第２マウント部に前記交換レンズが装着されていない状態から装着されている状態への遷移を検出した場合、前記切替部を遮断状態から導通状態に切替える
ことを特徴とする請求項１から３の何れか一項に記載のアダプター。
【請求項５】
前記制御部は、
前記第２マウント部に装着された前記交換レンズとの間で通信処理を行い、
前記交換レンズとの間の通信処理が可能な状態から不可能な状態になることに応じて、前記第２マウント部に前記交換レンズが装着されている状態から装着されていない状態への遷移を検出した場合、前記切替部を導通状態から遮断状態に切替える
ことを特徴とする請求項１から４の何れか一項に記載のアダプター。
【請求項６】
前記第３端子と前記第４端子とは、前記第２マウント部に装着された前記交換レンズ内において、所定のインピーダンスを介して互いに接続されている異なる端子にそれぞれ接続される
ことを特徴とする請求項１から５の何れか一項に記載のアダプター。
【請求項７】
前記第３端子および前記第４端子のうちの少なくとも一方は、前記第２マウント部に装着された前記交換レンズの導電性の筐体部に接続されている端子に接続される
ことを特徴とする請求項１から６の何れか一項に記載のアダプター。
【請求項８】
前記第１端子および前記第２端子のうちの少なくとも一方は、前記第１マウント部に装着された前記カメラボディの導電性の筐体部、および前記カメラボディ内に搭載された電池の負極端子のうちの少なくとも一方に接続されている端子に接続される
ことを特徴とする請求項１から７の何れか一項に記載のアダプター。
【請求項９】
前記装着状態検出端子は、
所定の抵抗を介して前記第３端子に接続されている
ことを特徴とする請求項１から８の何れか一項に記載のアダプター。
【請求項１０】
前記制御部は、
前記第２マウント部に前記交換レンズが装着されていない状態から装着されている状態への遷移を検出したことに応じて、前記交換レンズに対する給電を開始させる
ことを特徴とする請求項１から９の何れか一項に記載のアダプター。
【請求項１１】
前記制御部は、
前記第２マウント部に前記交換レンズが装着されている状態から装着されていない状態への遷移を検出したことに応じて、前記交換レンズに対する給電を停止させる
ことを特徴とする請求項１から１０の何れか一項に記載のアダプター。
【請求項１２】
前記交換レンズに供給する電圧を生成する電源部、
を備え、
前記制御部は、
前記電源部を制御することにより、前記交換レンズに対する給電を制御する
ことを特徴とする請求項１から１１の何れか一項に記載のアダプター。
【請求項１３】
請求項１から１２の何れか１項に記載のアダプターと、
前記第１マウント部に装着された前記カメラボディと、
前記第２マウント部に装着された前記交換レンズと、
を備えることを特徴とするカメラシステム。
【発明の詳細な説明】
【技術分野】
【０００１】
本発明は、アダプター、およびカメラシステムに関する。
【背景技術】
【０００２】
カメラボディと、カメラボディに着脱可能な交換レンズとを備えるレンズ交換式のカメラシステムがある。このレンズ交換式のカメラシステムにおいては、カメラボディに交換レンズが装着された場合に電気的に接続される接点を介して装着されたことを検出することにより、カメラボディと交換レンズとの間で通信処理を行い交換レンズを機能させるものがある（例えば、特許文献１参照）。
ところが、カメラボディと交換レンズとのマウント形状、通信規格、電源系統、電気接点の配置などが互いに異なる場合、カメラボディと交換レンズとを直接に装着することができないことがある。このような場合、この互換性のないカメラボディと交換レンズとをアダプターを介して装着可能とするカメラシステムがある（例えば、特許文献２参照）。
【先行技術文献】
【特許文献】
【０００３】
【特許文献１】特開平２−５２３２６号公報
【特許文献２】特開平７−９２５４０号公報
【発明の概要】
【発明が解決しようとする課題】
【０００４】
しかしながら、アダプターを介してカメラボディと交換レンズとを装着するカメラシステムにあっては、たとえ物理的に装着可能となっても、カメラボディと交換レンズとの通信規格などが異なることにより、電気的な動作に制約が生じることがある。
例えば、電気的な接点の電圧レベルに基づいて装着検出を行うカメラボディは、当該接点に対して検出レベルの電圧を提供する機能のない交換レンズがアダプターを介して装着されたとしてもその装着を検出することができないことがあった。
このように、レンズ交換式のカメラシステムにおいて、互換性のないカメラボディと交換レンズとを、アダプターを介して機械的に装着できたとしてもその装着を検出することができないことがある。そのため、例えばマニュアル撮影のみに制約された少ない機能に限定された撮影しかできないことがあるという問題があった。
【０００５】
本発明は、このような事情に鑑みてなされたもので、その目的は、レンズ交換式のカメラシステムにおいて、様々な種類の交換レンズを適切に機能させることができるアダプター、およびカメラシステムを提供することにある。
【課題を解決するための手段】
【０００６】
この発明は上述した課題を解決するためになされたもので、本発明は、カメラボディを着脱可能な第１マウント部と、前記第１マウント部とは別に設けられており、交換レンズを着脱可能な第２マウント部と、前記第１マウント部に装着された前記カメラボディ内の基準電位となる端子に対してそれぞれ接続される第１端子および第２端子と、接続状態を導通状態と遮断状態との何れかに切替える切替部と、前記第１端子に前記切替部を介して接続され、前記第２マウント部に装着された前記交換レンズ内の基準電位となる端子に対して接続される第３端子と、前記第２端子と接続され、前記第２マウント部に装着された前記交換レンズ内の基準電位となる端子に対して接続される第４端子と、前記第３端子の電位に応じて、前記交換レンズが装着されている状態であるか否かを示す検出レベルを前記カメラボディに対して提供する装着状態検出端子と、前記第２マウント部に前記交換レンズが装着されている状態であるか否かを検出するとともに、前記第２マウント部に前記交換レンズが装着されていない状態であると検出した場合、前記切替部を遮断状態に制御する制御部と、を備えることを特徴とするアダプターである。
【０００７】
また、本発明は、上記記載のアダプターと、前記第１マウント部に装着された前記カメラボディと、前記第２マウント部に装着された前記交換レンズと、を備えることを特徴とするカメラシステムである。
【発明の効果】
【０００８】
この発明によれば、レンズ交換式のカメラシステムにおいて、様々な種類の交換レンズを適切に機能させることができる。
【図面の簡単な説明】
【０００９】
【図１】第１実施形態によるカメラシステムの構成の一例を示すブロック図である。
【図２】第１実施形態における装着検出処理の第１例を示すフローチャートである。
【図３】第１実施形態における装着検出処理の第２例を示すフローチャートである。
【図４】第１実施形態における装着検出処理の第３例を示すフローチャートである。
【図５】第２実施形態によるカメラシステムの構成の一例を示すブロック図である。
【発明を実施するための形態】
【００１０】
以下、図面を参照して、本発明の実施の形態について説明する。
＜第１実施形態＞
図１は、この発明の第１実施形態によるカメラシステム１の構成の一例を示す概略ブロック図である。
図１に示すカメラシステム１は、レンズ交換式のカメラシステムであり、カメラボディ１００と、交換レンズ２００と、カメラボディ１００と交換レンズ２００との間に設けられ、カメラボディ１００と交換レンズ２００とに対してそれぞれ着脱可能なアダプター３００と、を備えている。
この図において、アダプター３００は、カメラボディ１００に装着されている。また、交換レンズ２００は、アダプター３００を介してカメラボディ１００に装着されている。
【００１１】
このカメラシステム１において、カメラボディ１００が備えているレンズマウントであるカメラボディ側マウント部１０１の仕様と、交換レンズ２００が備えているレンズマウントであるレンズ側マウント部２０１の仕様とは、互いに異なる仕様である。例えば、カメラボディ側マウント部１０１の仕様とレンズ側マウント部２０１の仕様とでは、マウント形状の仕様、電気的に接続される接続端子の仕様が互いに異なる。また、該接続端子を介して通信される通信規格や通信データの種類等も互いに異なる。そのため、カメラボディ１００に対して交換レンズ２００を直接には装着することができない。
【００１２】
そこで、アダプター３００は、カメラボディ１００と交換レンズ２００とを間接的に装着可能にするマウントアダプターとして構成されている。つまり、アダプター３００は、カメラボディ１００を着脱可能な第１マウント部３０１と、第１マウント部３０１とは別に設けられており、交換レンズ２００を着脱可能な第２マウント部３０２と、を備えている。第１マウント部３０１は、カメラボディ１００を着脱可能なようにカメラボディ側マウント部１０１の仕様に適合している。また、第２マウント部３０２は、交換レンズ２００を着脱可能なようにレンズ側マウント部２０１の仕様に適合している。さらに、アダプター３００は、互いに異なる通信規格や通信データの種類を持つカメラボディ１００と交換レンズ２００との間で、それら通信規格等を変更すること無く、両者間の通信を可能とするように構成されている。
【００１３】
（カメラシステムにおける接続構成）
まず、カメラボディ１００と交換レンズ２００とがアダプター３００を介して装着される場合のそれぞれのマウント部の接続について説明する。
カメラボディ１００は、接続部１０１ｓが近傍に設けられているカメラボディ側マウント部１０１を備えている。アダプター３００は、接続部３０１ｓが近傍に設けられている第１マウント部３０１と、接続部３０２ｓが近傍に設けられている第２マウント部３０２と、を備えている。交換レンズ２００は、接続部２０１ｓが近傍に設けられているレンズ側マウント部２０１を備えている。
【００１４】
カメラボディ１００とアダプター３００とは、カメラボディ側マウント部１０１および第１マウント部３０１を介して装着（物理的に接続）可能である。また、カメラボディ１００にアダプター３００が装着された場合、カメラボディ１００の接続部１０１ｓとアダプター３００の接続部３０１ｓとが電気的に接続される。接続部１０１ｓと接続部３０１ｓはそれぞれ、互いに電気的に接続される８個の接続端子（端子Ｔａ１〜Ｔａ８と、端子Ｔｂ１〜Ｔｂ８）を備えており、この接続端子を介してカメラボディ１００とアダプター３００との間で給電（電圧の供給）および信号の授受（通信）が行われる。
なお、信号の授受（通信）は、カメラボディ１００が備えているカメラ制御部１５０とアダプター３００が備えているアダプター制御部３５０との間で行われる。
【００１５】
また、交換レンズ２００とアダプター３００とは、レンズ側マウント部２０１および第２マウント部３０２を介して装着（物理的に接続）可能である。また、アダプター３００に交換レンズ２００が装着された場合、交換レンズ２００の接続部２０１ｓとアダプター３００の接続部３０２ｓとが電気的に接続される。接続部２０１ｓと接続部３０２ｓはそれぞれ、互いに電気的に接続される６個の接続端子（端子Ｔｄ１〜Ｔｄ６と、端子Ｔｃ１〜Ｔｃ６と）を備えており、この接続端子を介して交換レンズ２００とアダプター３００との間で給電（電圧の供給）および信号の授受（通信）が行われる。
なお、信号の授受（通信）は、交換レンズ２００が備えているレンズ制御部２５０とアダプター３００が備えているアダプター制御部３５０との間で行われる。
また、アダプター３００に交換レンズ２００が装着された場合、交換レンズ２００の導電性の筐体部であるレンズ側マウントグランド２０８（ＬＭＧＮＤ）と、アダプター３００の導電性の筐体部であるアダプター側マウントグランド３０８（ＡＭＧＮＤ）とが電気的に接続される。
【００１６】
（カメラボディの構成）
次に、カメラボディ１００の構成について説明する。
カメラボディ１００は、接続部１０１ｓ（端子Ｔａ１〜Ｔａ８）と、マウント着脱釦１０６と、パワー系電源スイッチ１３０と、カメラ電源部１４０と、バッテリー部１９０Ｂと、カメラ制御部１５０と、着脱検出スイッチ１５２と、を備えている。
【００１７】
接続部１０１ｓは、上述したように、端子Ｔａ１〜Ｔａ８の８個の接続端子を備えている。端子Ｔａ１〜Ｔａ８それぞれは、カメラボディ側マウント部１０１および第１マウント部３０１を介して装着されたアダプター３００の接続部３０１ｓが備えている８個の接続端子Ｔｂ１〜Ｔｂ８のうちの対応する端子と電気的に接続される。
【００１８】
マウント着脱釦１０６は、カメラボディ側マウント部１０１に装着されたアダプター３００を取外すために操作される釦である。カメラボディ側マウント部１０１にアダプター３００が装着されると、その装着状態が機械的にロックされる。マウント着脱釦１０６は、押下されることによってアダプター３００の装着状態のロックを機械的に解除して、アダプター３００を取外し可能にする。
【００１９】
着脱検出スイッチ１５２は、マウント着脱釦１０６に連動して、導通状態と遮断状態（非導通状態）とを切替える。また、着脱検出スイッチ１５２は、一端がグランド（後述する制御系グランドＤＧＮＤ）に接続され、他端がカメラ制御部１５０の信号入力端子に接続されている。例えば、着脱検出スイッチ１５２は、マウント着脱釦１０６が押下された場合に、遮断状態から導通状態に切替わり、接続されているカメラ制御部１５０の信号入力端子の電位をＬ（ロウ）レベルにする。これにより、カメラ制御部１５０は、マウント着脱釦１０６が押下されたことを検出する。
【００２０】
バッテリー部１９０Ｂは、バッテリー１９０を収納する。
バッテリー１９０は、カメラボディ１００、交換レンズ２００およびアダプター３００に電圧を供給する。例えば、バッテリー１９０は、リチウムイオン２次電池またはニッケル水素２次電池等である。なお、バッテリー１９０は、アルカリ電池等の１次電池であってもよい。また、カメラボディ１００は、バッテリー１９０から電圧が供給される構成に限られず、外部の直流電源（例えば、交流電源から直流電源に変換して電圧を供給するＡＣアダプター等）から電圧が供給されてもよい。
【００２１】
カメラ電源部１４０は、バッテリー１９０から供給される電圧（バッテリー電圧）をカメラボディ１００、またはカメラボディ１００に接続されるアダプター３００（または、アダプター３００を介して接続される交換レンズ２００、カメラボディ１００に直接に接続可能な交換レンズやカメラアクセサリー等）に供給できるように変換する。例えば、カメラ電源部１４０は、バッテリー電圧を変換することで、カメラボディ１００が備えている制御系回路（主に、カメラ制御部１５０）と、装着されたアダプター３００内の制御系回路（主に、後述のアダプター制御部３５０）と、に対して供給する制御系電源ＶＤＤの電圧を生成する。
カメラ電源部１４０において生成された制御系電源ＶＤＤの電圧は、カメラ制御部１５０および接続部１０１ｓの端子Ｔａ２に供給される。
【００２２】
例えば、カメラ電源部１４０は、制御系電源用レギュレータ部１４１（ＶＤＤｒｅｇ）と、ＤＣ／ＤＣコンバータ部１４２と、ダイオード１４３、１４４と、制御系電源スイッチ１４５と、を備えている。制御系電源用レギュレータ部１４１は、バッテリー１９０から供給されるバッテリー電圧（例えば、７．４Ｖ）を降圧して制御系電源ＶＤＤの電圧（例えば、３．３Ｖ）を生成し出力する。ＤＣ／ＤＣコンバータ部１４２は、バッテリー１９０から供給される電圧を昇圧または降圧して制御系電源ＶＤＤの電圧を生成し出力する。
【００２３】
制御系電源用レギュレータ部１４１の出力端子はダイオード１４３のアノード端子に接続され、ＤＣ／ＤＣコンバータ部１４２の出力端子はダイオード１４４のアノード端子に接続され、且つダイオード１４３のカソード端子とダイオード１４４のカソード端子とが接続されている。これにより、カメラ電源部１４０は、制御系電源用レギュレータ部１４１の出力電圧とＤＣ／ＤＣコンバータ部１４２の出力電圧とに応じて、何れかにより生成された制御系電源ＶＤＤの電圧を出力する。例えば、カメラ電源部１４０は、バッテリー１９０から供給される電圧に応じて、制御系電源用レギュレータ部１４１およびＤＣ／ＤＣコンバータ部１４２の何れかにより生成された制御系電源ＶＤＤの電圧を出力する。
【００２４】
また、カメラ電源部１４０は、制御系電源ＶＤＤの電圧を、制御系電源スイッチ１４５を介して接続部１０１ｓの端子Ｔａ２に供給する。制御系電源スイッチ１４５は、カメラ制御部１５０の制御により、導通状態と遮断状態とを切替える。これにより、カメラ制御部１５０は、制御系電源スイッチ１４５を制御することにより、端子Ｔａ２に対する制御系電源ＶＤＤの電圧の供給状態（給電している状態）と供給停止状態（給電を停止している状態）とを切替える。
【００２５】
また、バッテリー１９０の正極端子と接続部１０１ｓの端子Ｔａ１とが、バッテリー部１９０Ｂとパワー系電源スイッチ１３０とを介して接続されている。これにより、上述した制御系電源ＶＤＤとは別に、バッテリー１９０からバッテリー電圧に応じたパワー系電源ＰＷＲの電圧（例えば、７．４Ｖ）が、装着されたアダプター３００に供給される。また、パワー系電源スイッチ１３０は、カメラ制御部１５０の制御により、導通状態と遮断状態とを切替える。これにより、カメラ制御部１５０は、パワー系電源スイッチ１３０を制御することにより、端子Ｔａ１に対するパワー系電源ＰＷＲの電圧の供給状態と供給停止状態とを切替える。
【００２６】
また、パワー系電源ＰＷＲに対応するグランド（ＧＮＤ）であるパワー系グランドＰＧＮＤは、端子Ｔａ８とバッテリー部１９０Ｂを介してバッテリー１９０の負極端子とに接続されている。一方、制御系電源ＶＤＤに対応するグランドである制御系グランドＤＧＮＤは、カメラ制御部１５０のグランド端子、カメラ電源部１４０のグランド端子、着脱検出スイッチ１５２、および端子Ｔａ７に接続されている。また、パワー系グランドＰＧＮＤと制御系グランドＤＧＮＤとのそれぞれは、バッテリー部１９０Ｂを介してバッテリー１９０の負極端子に接続され、同じグランド電位になっている。また、パワー系グランドＰＧＮＤと制御系グランドＤＧＮＤとのそれぞれは、カメラボディ１００の導電性の筐体部であるフレームグランド（ＦＧＮＤ）１０８に接続されている。
【００２７】
カメラ制御部１５０は、カメラボディ１００が備えている各部を制御するとともに、接続部１０１ｓを介して接続されるアダプター３００のアダプター制御部３５０との間で通信処理を行う。
例えば、カメラ制御部１５０は、カメラ電源部１４０の制御系電源スイッチ１４５を制御することにより、接続部１０１ｓの端子Ｔａ２に対する制御系電源ＶＤＤの電圧の供給状態と供給停止状態とを切替える。また、カメラ制御部１５０は、パワー系電源スイッチ１３０を制御することにより、接続部１０１ｓの端子Ｔａ１に対するパワー系電源ＰＷＲの電圧の供給状態と供給停止状態とを切替える。
また、カメラ制御部１５０は、着脱検出スイッチ１５２に接続されている信号入力端子の電位がＬ（ロウ）レベルなることに応じて、マウント着脱釦１０６が押下されたことを検出する。
【００２８】
また、カメラ制御部１５０は、装着されたアダプター３００（アダプター制御部３５０）との間で、接続部１０１ｓ（端子Ｔａ３、端子Ｔａ４、および端子Ｔａ５）と、接続部３０１ｓ（端子Ｔｂ３、端子Ｔｂ４、および端子Ｔｂ５）とを介して、シリアル通信による通信処理を行う。具体的には、カメラ制御部１５０は、シリアル通信用のクロック信号ＣＬＫ１を端子Ｔａ３と端子Ｔｂ３とを介して送信する。また、カメラ制御部１５０は、シリアル通信用のデータ信号ＤＡＴＡＢを端子Ｔａ４と端子Ｔｂ４とを介して送信し、データ信号ＤＡＴＡＬを端子Ｔａ５と端子Ｔｂ５とを介して受信する。
【００２９】
また、カメラ制御部１５０は、装着されたアダプター３００から、交換レンズ２００が装着されたか否かを検出するための信号である装着検出信号ＲＤＹを、端子Ｔａ６と端子Ｔｂ５とを介して受信する。
ここで、カメラ制御部１５０の装着検出信号ＲＤＹが入力される端子は、カメラ制御部１５０の内部においてプルアップ処理がされている。これにより、例えば、端子Ｔａ６と端子Ｔｂ５とを介して受信する装着検出信号ＲＤＹがハイインピーダンス状態（オープン状態）の場合、装着検出信号ＲＤＹの電位はＨ（ハイ）レベルになる。一方、端子Ｔａ６と端子Ｔｂ５とを介して受信する装着検出信号ＲＤＹの電位がＬ（ロウ）レベル（グランド電位）の場合、装着検出信号ＲＤＹの電位はＬ（ロウ）レベルになる。この装着検出信号ＲＤＹの電位を検出することにより、カメラ制御部１５０は、交換レンズ２００が装着されたか否かを判定（検出）する。
【００３０】
なお、カメラ制御部１５０は、アダプター３００を介して交換レンズ２００が装着された場合に限らず、カメラボディ１００に対して、カメラボディ１００に適合する交換レンズが直接に装着された場合や、交換レンズ以外のアクセサリーが装着された場合も同様に、この装着検出信号ＲＤＹの電位に基づいて、装着検出を行う仕様である。
すなわち、カメラボディ１００に対して装着状態であるか否かを通知するためには、この装着検出信号ＲＤＹを用いて通知する必要がある。
そこで、本実施形態のアダプター３００は、カメラボディ１００に対してアダプター３００を介して交換レンズ２００が装着されたか否かを、装着検出信号ＲＤＹを用いて通知可能なように構成したものである。このアダプター３００の構成については、後で詳細に説明する。
【００３１】
（交換レンズの構成の説明）
次に、交換レンズ２００の構成について説明する。
交換レンズ２００は、接続部２０１ｓ（端子Ｔｄ１〜Ｔｄ６）と、光学系２１０と、ＡＦ駆動部２２０と、ＶＲ駆動部２３０と、ＤＣ／ＤＣコンバータ部２４１と、レンズ駆動系電源スイッチ２４２、レンズ制御部２５０と、リセット回路２５１と、レンズ操作部２６０と、を備えている。
【００３２】
接続部２０１ｓは、端子Ｔｄ１〜Ｔｄ６の６個の接続端子を備えている。端子Ｔａ１〜Ｔａ６のそれぞれは、レンズ側マウント部２０１および第２マウント部３０２を介して装着されたアダプター３００の接続部３０２ｓが備えている６個の接続端子Ｔｃ１〜Ｔｃ６のうちの対応する端子と電気的に接続される。
【００３３】
光学系２１０は、焦点調整用レンズ（以下、フォーカスレンズと称す）、光学像の像ぶれ補正用（防振用）レンズ（以下、ＶＲ（Vibration Reduction）レンズと称す）、等を含んで構成されるレンズ群２１１と、絞りユニット２１５と、を備えている。絞りユニット２１５は、複数の絞り羽根を含む絞り機構を含んで構成されている。また、絞りユニット２１５は、この絞り機構を機械的に操作する絞りレバー２１６を備えている。また、図１に示すカメラシステム１における交換レンズ２００は、絞り機構を駆動するアクチュエータ等の動力源を内蔵しないレンズであり、アダプター３００が備えている絞り連動レバー３１１によって絞りレバー２１６を介して絞り機構が駆動されるレンズである。
なお、光学系２１０を介して入射された被写体光束（光学像）は、アダプター３００を介してカメラボディ１００が備えている周知の撮影素子（不図示）の受光面に導かれる。
【００３４】
ＡＦ駆動部２２０は、ＡＦ（Auto Focus）制御によりフォーカスレンズを駆動するための動力源となるＡＦモータ２２１と、ＡＦモータ２２１の駆動を制御するＡＦモータ制御部２２２と、を備えており、レンズ制御部２５０の制御によりフォーカスレンズを駆動する。ＶＲ駆動部２３０は、防振制御によりＶＲレンズを駆動するための動力源となるＶＲモータ２３１と、ＶＲモータ２３１の駆動を制御するＶＲ制御部２３２と、を備えており、レンズ制御部２５０の制御によりＶＲレンズを駆動する。
【００３５】
ＡＦ駆動部２２０、ＶＲ駆動部２３０等の交換レンズ２００における駆動系回路に供給されるレンズ駆動系電源Ｖｐの電圧（例えば、６Ｖ）は、接続部２０１ｓの端子Ｔｄ１から給電される。例えば、レンズ駆動系電源Ｖｐの電圧は、装着されたアダプター３００において生成され、アダプター３００の接続部３０２ｓの端子Ｔｃ１と端子Ｔｄ１とが電気的に接続されることにより端子Ｔｃ１と端子Ｔｄ１とを介して給電される。
【００３６】
また、端子Ｔｄ１は、レンズ駆動系電源スイッチ２４２を介して、ＤＣ／ＤＣコンバータ部２４１、ＡＦ駆動部２２０、およびＶＲ駆動部２３０にそれぞれ接続され、レンズ駆動系電源Ｖｐの電圧が供給される。レンズ駆動系電源スイッチ２４２は、レンズ制御部２５０の制御により、導通状態と遮断状態とを切替える。これにより、レンズ制御部２５０は、レンズ駆動系電源スイッチ２４２を制御することにより、ＤＣ／ＤＣコンバータ部２４１、ＡＦ駆動部２２０、およびＶＲ駆動部２３０に対するレンズ駆動系電源Ｖｐの電圧の供給状態と供給停止状態とを切替える。
【００３７】
ＤＣ／ＤＣコンバータ部２４１は、ＡＦ駆動部２２０およびＶＲ駆動部２３０のそれぞれ駆動を制御するためのＡＦモータ制御部２２２およびＶＲ制御部２３２のそれぞれに供給する電圧を、レンズ駆動系電源Ｖｐの電圧から変換して生成する。また、ＤＣ／ＤＣコンバータ部２４１は、レンズ制御部２５０によって電圧の生成処理が制御される。
【００３８】
交換レンズ２００内の制御系回路（主にレンズ制御部２５０）に供給されるレンズ制御系電源Ｖｃの電圧（例えば、５Ｖ）は、接続部２０１ｓの端子Ｔｄ２から給電される。レンズ制御系電源Ｖｃの電圧は、装着されたアダプター３００において生成され、アダプター３００の接続部３０２ｓの端子Ｔｃ２と端子Ｔｄ２とが電気的に接続されることにより端子Ｔｃ２と端子Ｔｄ２とを介して給電される。例えば、レンズ制御系電源Ｖｃの電圧は、端子Ｔｄ２からレンズ制御部２５０およびリセット回路２５１のそれぞれに給電される。
【００３９】
また、交換レンズ２００内において、レンズ駆動系電源Ｖｐに対応するグランド（ＧＮＤ）であるパワー系グランドＰＧＮＤは、端子Ｔｄ６、ＤＣ／ＤＣコンバータ部２４１、ＡＦ駆動部２２０、およびＶＲ駆動部２３０のそれぞれのグランド端子に接続されている。一方、交換レンズ２００内において、レンズ制御系電源Ｖｃに対応するグランドは、レンズ側マウントグランド２０８であり、レンズ制御部２５０、リセット回路２５１、およびレンズ操作部２６０のそれぞれのグランド端子に接続されている。
【００４０】
また、交換レンズ２００内において、パワー系グランドＰＧＮＤとレンズ側マウントグランド２０８とは、並列に接続されている抵抗２０５およびダイオード２０６を介して接続されている。これは、パワー系グランドＰＧＮＤとレンズ側マウントグランド２０８とのそれぞれに流れる電流の差が大きい場合等に、それぞれのグランドの電位差が大きくなることを抑制するために、低インピーダンスでそれぞれのグランドを接続するものである。ここで、パワー系グランドＰＧＮＤとレンズ側マウントグランド２０８とを接続している抵抗２０５は、例えば１００Ω程度の抵抗値の低い抵抗が用いられている。
【００４１】
レンズ操作部２６０は、ユーザ（操作者）が操作可能な操作釦として、例えば、ＡＦとＭＦ（Manual Focus）とを切替えるＡＦ／ＭＦ切替釦、ＶＲレンズの制御の開始と終了とを切替える防振機能ＯＮ／ＯＦＦ釦、等を有している。そして、レンズ操作部２６０は、操作釦毎に操作状態を示す操作信号をレンズ制御部２５０に送信する。
【００４２】
リセット回路２５１は、レンズ制御系電源Ｖｃの電圧を監視して、所定の電圧未満に低下した場合、レンズ制御部２５０をリセットする。また、リセット回路２５１は、レンズ制御系電源Ｖｃの電圧を監視して、所定の電圧以上に復帰した場合、レンズ制御部２５０のリセットを解除する。なお、レンズ制御部２５０をリセットする電圧とリセット解除する電圧とのそれぞれのしきい値（所定の電圧）は、電位差（ヒステリシス電圧）をたせて設定されている。
【００４３】
レンズ制御部２５０は、交換レンズ２００が備えている各部を制御するとともに、接続部２０１ｓを介して接続されるアダプター３００のアダプター制御部３５０との間で通信処理を行う。
例えば、レンズ制御部２５０は、レンズ駆動系電源スイッチ２４２を制御することにより、ＤＣ／ＤＣコンバータ部２４１、ＡＦ駆動部２２０、およびＶＲ駆動部２３０に対するレンズ駆動系電源Ｖｐの電圧の供給状態と供給停止状態とを切替える。また、レンズ制御部２５０は、ＤＣ／ＤＣコンバータ部２４１を制御することにより、ＡＦモータ制御部２２２およびＶＲ制御部２３２のそれぞれに供給する電圧の供給状態と供給停止状態とを切替える。
【００４４】
また、レンズ制御部２５０は、装着されたアダプター３００（アダプター制御部３５０）との間で、接続部２０１ｓ（端子Ｔｄ３、端子Ｔｄ４、および端子Ｔｄ５）と、接続部３０２ｓ（端子Ｔｃ３、端子Ｔｃ４、および端子Ｔｃ５）とを介して、シリアル通信による通信処理を行う。具体的には、レンズ制御部２５０は、シリアル通信用のクロック信号ＣＬＫ２を端子Ｔｃ３と端子Ｔｄ３とを介して受信する。また、レンズ制御部２５０は、シリアル通信用のデータ信号ＤＡＴＡを端子Ｔｃ４と端子Ｔｄ４とを介して送受信（授受）する。
【００４５】
また、レンズ制御部２５０は、接続部２０１ｓの端子Ｔｄ５と接続部３０２ｓの端子Ｔｃ５とを介して信号Ｒ／Ｗを送受信（授受）する。
なお、信号Ｒ／Ｗは、上述のデータ信号ＤＡＴＡの通信方向を示すリード／ライト信号であるが、交換レンズ２００とアダプター３００との間のハンドシェイクを行う信号としても利用される。
【００４６】
レンズ制御部２５０は、アダプター３００と通信処理を行うこうことにより、交換レンズ２００のレンズ情報の送信や、カメラボディ１００から送信される制御指令を、アダプター３００を介して受信する。そして、レンズ制御部２５０は、これらの通信処理の結果に基づいて、交換レンズ２００内の各部の制御（例えば、受信した制御指令に基づく光学系２１０の駆動制御）を行うとともに、必要に応じて光学系２１０のレンズ情報や駆動状態を示す情報を応答（送信）する。
ここで、交換レンズ２００のレンズ情報とは、例えば、光学系２１０の光学特性（焦点距離、開放Ｆ値等）や機能（オートフォーカス機能、絞り駆動方式、防振機能の有無等）等に関する情報である。
【００４７】
（アダプターの構成）
次に、アダプター３００の構成について説明する。
アダプター３００は、接続部３０１ｓ（端子Ｔｂ１〜Ｔｂ８）と、接続部３０２ｓ（端子Ｔｃ１〜Ｔｃ６）と、レンズ着脱釦３０６と、絞り連動レバー駆動部３１０と、切替部３２０と、アダプター電源部３４０（電源部）と、アダプター制御部３５０（制御部）と、リセット回路３５１と、を備えている。
【００４８】
レンズ着脱釦３０６は、第２マウント部３０２に装着された交換レンズ２００を取外すために操作される釦である。第２マウント部３０２に交換レンズ２００が装着されると、その装着状態が機械的にロックされる。レンズ着脱釦３０６は、押下されることによって交換レンズ２００の装着状態のロックを機械的に解除して、交換レンズ２００を取外し可能にする。なお、カメラボディ１００にアダプター３００が装着されている状態においてレンズ着脱釦３０６が押下された場合に、カメラボディ１００のマウント着脱釦１０６も機械的に（物理的に）連動して押下されるような位置に、このレンズ着脱釦３０６は設けられている。
【００４９】
接続部３０１ｓは、端子Ｔｂ１〜Ｔｂ８の８個の接続端子を備えている。端子Ｔｂ１〜Ｔｂ８それぞれは、カメラボディ側マウント部１０１および第１マウント部３０１を介して装着されたカメラボディ１００の接続部１０１ｓが備えている８個の接続端子Ｔａ１〜Ｔａ８のうちの対応する端子と電気的に接続される。
【００５０】
また、接続部３０２ｓは、端子Ｔｃ１〜Ｔｃ６の６個の接続端子を備えている。端子Ｔｃ１〜Ｔｃ６それぞれは、レンズ側マウント部２０１および第２マウント部３０２を介して装着された交換レンズ２００の接続部２０１ｓが備えている６個の接続端子Ｔｄ１〜Ｔｄ６のうちの対応する端子と電気的に接続される。
【００５１】
端子Ｔｂ１は、カメラボディ１００の端子Ｔａ１に接続され、カメラボディ１００からパワー系電源ＰＷＲの電圧（例えば、７．４Ｖ）が供給される。また、端子Ｔｂ２は、カメラボディ１００の端子Ｔａ２に接続され、カメラボディ１００から制御系電源ＶＤＤ（例えば、３．３Ｖ）の電圧が供給される。
【００５２】
アダプター電源部３４０は、端子Ｔｂ１を介して供給されるパワー系電源ＰＷＲの電圧から、交換レンズ２００に供給するためのレンズ制御系電源Ｖｃの電圧と、レンズ駆動系電源Ｖｐとの電圧をそれぞれ生成する。
【００５３】
例えば、アダプター電源部３４０は、パワー系電源ＰＷＲの電圧（例えば、７．４Ｖ）をレンズ制御系電源Ｖｃの電圧（例えば、５Ｖ）に変換して出力するＤＣ／ＤＣコンバータ部３４２と、パワー系電源ＰＷＲの電圧をレンズ駆動系電源Ｖｐの電圧（例えば６Ｖ）に変換して出力するレンズ駆動系電源用レギュレータ部３４１（Ｖｐｒｅｇ）と、を備えている。また、アダプター電源部３４０は、アダプター制御部３５０の制御により、接続状態を導通状態と遮断状態とに切替えるレンズ駆動系電源スイッチ３４３を備えている。そして、レンズ駆動系電源用レギュレータ部３４１により出力されたレンズ駆動系電源Ｖｐの電圧は、このレンズ駆動系電源スイッチ３４３を介して接続部３０２ｓの端子Ｔｃ１に供給される。これにより、アダプター制御部３５０は、レンズ駆動系電源スイッチ３４３を制御することにより、端子Ｔｃ１に対するレンズ駆動系電源Ｖｐの電圧の供給状態と供給停止状態とを切替える。
【００５４】
また、ＤＣ／ＤＣコンバータ部３４２により出力されたレンズ制御系電源Ｖｃの電圧は、接続部３０２ｓの端子Ｔｃ２と、絞り連動レバー駆動部３１０とにそれぞれ供給される。なお、ＤＣ／ＤＣコンバータ部３４２は、アダプター制御部３５０の制御により、レンズ制御系電源Ｖｃの電圧の供給状態と供給停止状態とを切替える。
【００５５】
このように、アダプター電源部３４０は、カメラボディ１００から端子Ｔｂ１を介して供給されるパワー系電源ＰＷＲの電圧から、交換レンズ２００に供給するためのレンズ制御系電源Ｖｃの電圧と、レンズ駆動系電源Ｖｐの電圧とをそれぞれ生成して、端子Ｔｃ１と端子Ｔｃ２とを介して交換レンズ２００にそれぞれ給電する。また、アダプター制御部３５０の制御により、それぞれの電源系統の電圧の供給状態と供給停止状態とが切替えられる。
【００５６】
絞り連動レバー駆動部３１０は、絞り連動レバー３１１と、絞りモータ３１２と、絞りモータ制御部３１３と、位置検出部３１４と、絞り駆動系電源用レギュレータ部３１５（Ｖｍｒｅｇ）と、を備えている。
絞り連動レバー３１１は、装着された交換レンズ２００の絞りレバー２１６と嵌合してレバー位置を移動させることにより、絞りユニット２１５の絞り機構の開口径（絞り値）を変更する。絞りモータ３１２は、絞り連動レバー３１１を駆動するための動力源であり、例えば、ステッピングモータを含んで構成されている。絞りモータ制御部３１３は、アダプター制御部３５０の制御により、絞りモータ３１２の駆動を制御する。
【００５７】
位置検出部３１４は、例えば、フォトインタラプタを含んで構成されており、絞り連動レバー３１１の移動位置を検出して、検出結果をアダプター制御部３５０に送信する。
絞り駆動系電源用レギュレータ部３１５は、端子Ｔｂ１を介して供給されたパワー系電源ＰＷＲの電圧を、絞り駆動系電源Ｖｍの電圧（例えば、４．２Ｖ）に変換して出力する。絞り駆動系電源用レギュレータ部３１５から出力された絞り駆動系電源Ｖｍの電圧は、絞りモータ３１２に供給される。また、絞りモータ制御部３１３および位置検出部３１４のそれぞれには、アダプター電源部３４０により生成されたレンズ制御系電源Ｖｃの電圧が供給される。
【００５８】
リセット回路３５１は、制御系電源ＶＤＤの電圧を監視して、所定の電圧未満に低下した場合、アダプター制御部３５０をリセットする。また、リセット回路２５１は、制御系電源ＶＤＤの電圧を監視して、所定の電圧以上に復帰した場合、アダプター制御部３５０のリセットを解除する。なお、アダプター制御部３５０をリセットする電圧とリセット解除する電圧とのそれぞれのしきい値（所定の電圧）は、電位差（ヒステリシス電圧）をもたせて設定されている。
【００５９】
アダプター制御部３５０は、カメラボディ１００のカメラ制御部１５０と交換レンズ２００のレンズ制御部２５０との間の通信処理を中継するとともに、アダプター３００内の各部を制御する。
例えば、アダプター制御部３５０は、レンズ駆動系電源スイッチ３４３を制御することにより、端子Ｔｃ１に対するレンズ駆動系電源Ｖｐの電圧の供給状態と供給停止状態とを切替える。また、アダプター制御部３５０は、ＤＣ／ＤＣコンバータ部３４２を制御することにより、レンズ制御系電源Ｖｃの電圧の供給状態と供給停止状態とを切替える。さらに、アダプター制御部３５０は、絞り連動レバー駆動部３１０を制御することにより、交換レンズ２００の絞り機構の開口径（絞り値）を変更（制御）する。
【００６０】
次に、アダプター制御部３５０の通信系の構成について説明する。
アダプター制御部３５０は、交換レンズ２００の構成において説明したように、レンズ制御部２５０とシリアル通信による通信処理を行う。具体的には、アダプター制御部３５０は、シリアル通信用のクロック信号ＣＬＫ２を端子Ｔｃ３と端子Ｔｄ３とを介してレンズ制御部２５０に送信する。また、アダプター制御部３５０は、シリアル通信用のデータ信号ＤＡＴＡを端子Ｔｃ４と端子Ｔｄ４とを介してレンズ制御部２５０と送受信（授受）する。また、アダプター制御部３５０は、信号Ｒ／Ｗを端子Ｔｃ５と端子Ｔｄ５とを介してレンズ制御部２５０と送受信（授受）する。
【００６１】
一方、アダプター制御部３５０は、カメラボディ１００の構成において説明したように、カメラ制御部１５０とシリアル通信による通信処理を行う。具体的には、アダプター制御部３５０は、シリアル通信用のクロック信号ＣＬＫ１を、カメラ制御部１５０から端子Ｔａ３と端子Ｔｂ３とを介して受信する。また、アダプター制御部３５０は、シリアル通信用のデータ信号ＤＡＴＡＢをカメラ制御部１５０から端子Ｔａ４と端子Ｔｂ４とを介して受信し、データ信号ＤＡＴＡＬを端子Ｔｂ５と端子Ｔａ５とを介してカメラ制御部１５０に送信する。
【００６２】
また、アダプター制御部３５０は、前述の装着検出信号ＲＤＹを、端子Ｔｂ５（装着状態検出端子）に供給する。なお、装着検出信号ＲＤＹの信号線、すなわち端子Ｔｂ５（装着状態検出端子）は、抵抗３５２（例えば、４７０ｋΩ）を介してアダプター側マウントグランド３０８に接続されている。
【００６３】
続いて、アダプター３００内のグランドの接続経路について説明する。
アダプター３００内において、パワー系電源ＰＷＲおよびレンズ駆動系電源Ｖｐに対応するグランドであるパワー系グランドＰＧＮＤは、端子Ｔｂ８と、端子Ｔｃ６と、絞り連動レバー駆動部３１０の駆動系回路（絞りモータ３１２、絞り駆動系電源用レギュレータ部３１５）のグランド端子と、に接続されている。
【００６４】
このアダプター３００内のパワー系グランドＰＧＮＤは、カメラボディ１００にアダプター３００が装着された場合、アダプター３００の端子Ｔｂ８とカメラボディ１００の端子Ｔａ８とを介してカメラボディ１００内のパワー系グランドＰＧＮＤと電気的に接続される。また、アダプター３００内のパワー系グランドＰＧＮＤは、アダプター３００に交換レンズ２００が装着された場合、アダプター３００の端子Ｔｃ６と交換レンズ２００の端子Ｔｄ６とを介して交換レンズ２００のパワー系グランドＰＧＮＤと電気的に接続される。
【００６５】
また、アダプター３００内において、制御系電源ＶＤＤおよびレンズ制御系電源Ｖｃに対応するグランドである制御系グランドＤＧＮＤは、端子Ｔｂ７と、アダプター制御部３５０のグランド端子と、リセット回路３５１のグランド端子と、絞り連動レバー駆動部３１０の制御系回路（絞りモータ制御部３１３、位置検出部３１４）のグランド端子と、に接続されている。
【００６６】
また、切替部３２０の一端はこの制御系グランドＤＧＮＤに接続されており、他端はアダプター側マウントグランド３０８に接続されている。すなわち、制御系グランドＤＧＮＤとアダプター側マウントグランド３０８とは、切替部３２０を介して接続されている。ここで、切替部３２０は、アダプター制御部３５０の制御により、接続状態（電気的な接続状態）を導通状態と遮断状態とに切替える。
これにより、切替部３２０が導通状態に制御されている場合、制御系グランドＤＧＮＤとアダプター側マウントグランド３０８とは電気的に接続される。一方、切替部３２０が遮断状態に制御されている場合、制御系グランドＤＧＮＤとアダプター側マウントグランド３０８とは電気的に接続されておらず分離されている。
なお、前述したように、アダプター側マウントグランド３０８は、アダプター３００に交換レンズ２００が装着された場合、交換レンズ２００のレンズ側マウントグランド２０８に電気的に接続される。
【００６７】
このように、アダプター３００内において、パワー系グランドＰＧＮＤと、制御系グランドＤＧＮＤおよびアダプター側マウントグランド３０８とは、互いに接続されておらず分離されている。
また、カメラボディ１００に交換レンズ２００がアダプター３００を介して装着されることにより、カメラボディ１００のパワー系グランドＰＧＮＤと、交換レンズ２００のパワー系グランドＰＧＮＤとは、アダプター３００内の回路において接続される。また、カメラボディ１００に交換レンズ２００がアダプター３００を介して装着されることにより、カメラボディ１００の制御系グランドＤＧＮＤに電気的に接続されているアダプター３００の制御系グランドＤＧＮＤと、交換レンズ２００の制御系グランドであるレンズ側マウントグランド２０８に接続されているアダプター３００のアダプター側マウントグランド３０８とは、切替部３２０が導通状態に制御されている場合は電気的に接続され、切替部３２０が遮断状態に制御されている場合は接続されない。
【００６８】
なお、切替部３２０は、初期状態（アダプター制御部３５０の起動前および起動により初期化された状態）において遮断状態であって、アダプター制御部３５０により導通状態へ遷移させる切替え制御が行われて初めて導通状態に制御される。
【００６９】
以上、第１実施形態におけるカメラシステム１の構成について説明した。次に、このカメラシステム１において、交換レンズ２００が装着されているか否かを検出する処理（装着検出処理）について説明する。
【００７０】
まず、カメラボディ１００に対してアダプター３００が装着された場合、第１マウント部３０１に装着されたカメラボディ１００内の端子Ｔａ７および端子Ｔａ８（基準電位となる端子）に対して、アダプター３００内の端子Ｔｂ７（第１端子）および端子Ｔｂ８（第２端子）がそれぞれ接続される。
なお、上述のカメラボディ１００内の基準電位とは、フレームグランド（ＦＧＮＤ）１０８に接続されているパワー系グランドＰＧＮＤまたは制御系グランドＤＧＮＤのグランド電位である。
【００７１】
さらに、アダプター３００に交換レンズ２００が装着された場合、端子Ｔｂ７（第１端子）に切替部３２０を介して接続されているアダプター側マウントグランド３０８（第３端子）は、第２マウント部３０２に装着された交換レンズ２００内の基準電位となる端子（レンズ側マウントグランド２０８）に対して接続される。また、端子Ｔｂ８（第２端子）と接続されている端子Ｔｃ６（第４端子）は、第２マウント部３０２に装着された交換レンズ２００内の基準電位となる端子Ｔｄ６（制御系グランドＤＧＮＤ）に対して接続される。
なお、交換レンズ２００内の基準電位とは、レンズ側マウントグランド２０８または制御系グランドＤＧＮＤのグランド電位である。
【００７２】
また、端子Ｔｂ６（装着状態検出端子）は、アダプター側マウントグランド３０８（第３端子）の電位に応じて、交換レンズ２００が装着されている状態であるか否かを示す検出レベルをカメラボディ１００の端子Ｔａ６を介してカメラ制御部１５０に対して提供する。
具体的には、端子Ｔｂ６（装着状態検出端子）は、抵抗３５２（所定の回路）を介してアダプター側マウントグランド３０８（第３端子）に接続されており、カメラボディ１００内のグランド電位に対するアダプター３００内のアダプター側マウントグランド３０８（第３端子）の電位に応じた電位（検出レベル）を、端子Ｔａ６を介してカメラ制御部１５０に対して提供する。
【００７３】
例えば、カメラボディ１００にアダプター３００が装着されており、アダプター３００には交換レンズ２００が装着されていない状態においては、アダプター側マウントグランド３０８（第３端子）は、切替部３２０が遮断状態であるためカメラボディ１００内の何れのグランドまたは回路とも接続されていない。この場合、端子Ｔｂ６（装着状態検出端子）を介してカメラボディ１００に対して提供される装着検出信号ＲＤＹの電位（検出レベル）は、端子Ｔａ６を介して接続されているカメラ制御部１５０内のプルアップ（不図示）により、Ｈ（ハイ）レベルになっている。カメラ制御部１５０は、装着検出信号ＲＤＹの電位がＨ（ハイ）レベルであることを検出することにより、交換レンズ２００が装着されていない非装着状態であると判定（検出）する。
よって、アダプター３００は、交換レンズ２００が装着されていない非装着状態であることをカメラボディ１００に検出させることができる。
【００７４】
一方、切替部３２０が遮断状態である場合において、カメラボディ１００にアダプター３００を介して交換レンズ２００が装着された場合、アダプター側マウントグランド３０８（第３端子）は、第２マウント部３０２に装着された交換レンズ２００内の回路を経て（介して）、端子Ｔｃ６（第４端子）、および端子Ｔｂ８（第２端子）を介してカメラボディ１００内の基準電位となる端子に接続される。例えば、アダプター側マウントグランド３０８（第３端子）は、交換レンズ２００内のレンズ側マウントグランド２０８と、抵抗２０５と、端子Ｔｄ６とを介してパワー系グランドＰＧＮＤに接続される。
【００７５】
これにより、アダプター側マウントグランド３０８（第３端子）の電位は、カメラボディ１００内のグランド電位（基準電位）に応じたＬ（ロウ）レベルとなる。すなわち、端子Ｔｂ６（装着状態検出端子）は、カメラボディ１００内のグランド電位（基準電位）に応じたＬ（ロウ）レベルの電位を、交換レンズ２００が装着されている状態であることを示す検出レベルとしてカメラ制御部１５０に対して提供する。
【００７６】
すなわち、アダプター３００は、第２マウント部３０２に交換レンズ２００が装着されていない状態から装着されている状態になった場合に、カメラボディ１００内のグランド電位（基準電位）に応じた電位を、交換レンズ２００が装着されている状態であることを示す検出レベル（Ｌ（ロウ）レベル）として端子Ｔｂ６（装着状態検出端子）から提供する。これにより、カメラ制御部１５０は、装着検出信号ＲＤＹの電位がＬ（ロウ）レベルであることを検出することにより、交換レンズ２００が装着されている状態であると判定（検出）する。
よって、アダプター３００は、交換レンズ２００が装着されたことをカメラボディ１００に検出させることができる。
【００７７】
なお、交換レンズ２００が装着されていない状態において、アダプター側マウントグランド３０８がグランド電位に接続されていないオープンの状態の場合は、前述したように、装着検出信号ＲＤＹがカメラ制御部１５０の内部のプルアップにより、Ｈ（ハイ）レベルとなる。一方、交換レンズ２００が装着されている状態において、カメラ制御部１５０の内部においてプルアップされている装着検出信号ＲＤＹに対して、抵抗３５２と抵抗２０５とが直列に接続されてパワー系グランドＰＧＮＤにプルダウンされた場合は、装着検出信号ＲＤＹの電位がＬ（ロウ）レベルになるようにプルアップおよびプルダウン抵抗値がそれぞれ設定されている。
【００７８】
また、アダプター制御部３５０は、第２マウント部３０２に交換レンズ２００が装着されている状態であるか否かを検出するとともに、第２マウント部３０２に交換レンズ２００が装着されていない状態であると検出した場合、切替部３２０を遮断状態に制御する。
【００７９】
例えば、アダプター制御部３５０は、端子Ｔｂ６（装着状態検出端子）が、交換レンズ２００が装着されている状態であることを示す検出レベル（Ｌ（ロウ）レベル）になることに応じて、第２マウント部３０２に交換レンズ２００が装着されていない状態から装着されている状態への遷移を検出した場合、切替部３２０を遮断状態から導通状態に切替える。
【００８０】
例えば、端子Ｔｂ６（装着状態検出端子）が、交換レンズ２００が装着されている状態であることを示す検出レベル（Ｌ（ロウ）レベル）になることに応じて、カメラ制御部１５０は、交換レンズ２００が装着されている状態であると判定（検出）する。次に、カメラ制御部１５０は、カメラ電源部１４０を制御して、アダプター３００への制御系電源ＶＤＤの給電を開始させる。アダプター制御部３５０は、カメラボディ１００から制御系電源ＶＤＤの給電が開始されたことに応じて起動するとともに、切替部３２０を遮断状態から導通状態に切替える。
【００８１】
なお、アダプター制御部３５０は、交換レンズ２００が装着されている状態であることをカメラ制御部１５０との通信処理によって検出することにより、切替部３２０を導通状態に制御して（切替えて）もよい。また、アダプター制御部３５０は、交換レンズ２００が装着されている状態であることを装着検出信号ＲＤＹの電位（Ｌ（ロウ）レベル）を検出することにより、切替部３２０を導通状態に制御して（切替えて）もよい。また、アダプター制御部３５０は、カメラボディ１００から制御系電源ＶＤＤの給電が開始されたことに応じて起動することにより、交換レンズ２００が装着されている状態であるとして、切替部３２０を導通状態に制御して（切替えて）もよい。
【００８２】
また、アダプター制御部３５０は、第２マウント部３０２に装着された交換レンズ２００との間で通信処理を行い、交換レンズ２００との間の通信処理が可能な状態から不可能な状態になることに応じて、第２マウント部３０２に交換レンズ２００が装着されている状態から装着されていない状態への遷移を検出する。そして、アダプター制御部３５０は、交換レンズ２００が装着されている状態から装着されていない状態への遷移を検出した場合、切替部３２０を導通状態から遮断状態に切替える。
【００８３】
なお、アダプター制御部３５０は、第２マウント部３０２に交換レンズ２００が装着されていない状態から装着されている状態への遷移を検出したことに応じて、交換レンズ２００に対する給電を開始させてもよい。また、アダプター制御部３５０は、第２マウント部３０２に交換レンズ２００が装着されている状態から装着されていない状態への遷移を検出したことに応じて、交換レンズ２００に対する給電を停止させてもよい。
【００８４】
次に、第１実施形態における装着検出処理の動作を説明する。
図２は、第１実施形態における装着検出処理の第１例を示すフローチャートである。
この図は、カメラシステム１において、カメラボディ１００にアダプター３００を介して交換レンズ２００が装着された場合の処理を示すフローチャートである。
以下、図２を参照して、カメラボディ１００にアダプター３００および交換レンズ２００が装着されていない状態から装着された場合の処理を説明する。
【００８５】
カメラ制御部１５０は、交換レンズ２００が装着されているか否かを判定する処理を実行する（ステップＳ１０１）。なお、ステップＳ１０１において、交換レンズ２００が装着されていないと判定されているうちは、カメラ制御部１５０は、ステップＳ１０１の処理を繰り返し実行する。
【００８６】
まず、カメラボディ１００に対してアダプター３００が装着される（ステップＳ２０１）。カメラ制御部１５０は、これに応じた制御を特には実行しない。次に、アダプター３００に対して交換レンズ２００が装着される（ステップＳ３０１）。ステップＳ３０１において交換レンズ２００が装着されたことに応じて、アダプター３００の端子Ｔｂ６（装着状態検出端子）は、交換レンズ２００内の抵抗２０５を介してカメラボディ１００内のパワー系グランドＰＧＮＤに電気的に接続されることにより、Ｈ（ハイ）レベルからＬ（ロウ）レベルに切替わる（ステップＳ２０３）。
【００８７】
カメラ制御部１５０は、ステップＳ１０１の判定処理において、端子Ｔｂ６（装着状態検出端子）がＬ（ロウ）レベルになったことを、端子Ｔａ６を介して検出することにより、交換レンズ２００が装着されたと判定して、ステップＳ１０４に処理を進める
【００８８】
ステップＳ１０４において、カメラ制御部１５０は、カメラ電源部１４０を制御して、アダプター３００に対する制御系電源ＶＤＤの給電を開始させる（ステップＳ１０４）。
次に、アダプター制御部３５０は、制御系電源ＶＤＤからの給電が開始されることに応じて、リセット回路３５１の制御によりリセットが解除されて起動処理を実行する（ステップＳ２０５）。
【００８９】
次に、カメラ制御部１５０は、アダプター制御部３５０に対する通信処理を開始して、両者間の通信処理が確立される（ステップＳ１０７、Ｓ２０７）。例えば、カメラ制御部１５０は、アダプター制御部３５０に対して、交換レンズ２００が装着されたことを示す信号を送信する。
【００９０】
続いて、アダプター制御部３５０は、切替部３２０を遮断状態（オフ）から導通状態（オン）に切替える（ステップＳ２１０）。これにより、アダプター３００内の制御系グランド（ＤＧＮＤ）とアダプター側マウントグランド３０８とが、アダプター３００内において接続される。すなわち、カメラボディ１００内の制御系グランド（ＤＧＮＤ）と交換レンズ内の制御系グランドであるレンズ側マウントグランド２０８とが、アダプター３００内のグランドを介して電気的に接続される。
【００９１】
次に、カメラ制御部１５０は、パワー系電源スイッチ１３０を制御して、アダプター３００へのパワー系電源ＰＷＲの給電を開始させる（ステップＳ１１２）。続いて、アダプター制御部３５０は、アダプター電源部３４０（ＤＣ／ＤＣコンバータ部３４２）を制御して、交換レンズ２００に対するレンズ制御系電源Ｖｃの給電を開始させる（ステップＳ２１２）。レンズ制御部２５０は、レンズ制御系電源Ｖｃからの給電が開始されることに応じてリセットが解除され、起動処理を実行する（ステップＳ３１２）。
【００９２】
次に、アダプター制御部３５０は、レンズ制御部２５０に対する通信処理を開始して、両者間の通信処理が確立される（ステップＳ２１４、Ｓ３１４）。続いて、アダプター制御部３５０は、アダプター電源部３４０（レンズ駆動系電源スイッチ３４３）を制御して、交換レンズ２００に対するレンズ駆動系電源Ｖｐの給電を開始させる（ステップＳ２１６）。
【００９３】
このように、交換レンズ２００が装着された場合に、アダプター３００の端子Ｔｂ６（装着状態検出端子）は、交換レンズ２００内の回路を経てカメラボディ１００内のパワー系グランドＰＧＮＤに電気的に接続されることにより、Ｈ（ハイ）レベルからＬ（ロウ）レベルに切替わる。カメラボディ１００は、この端子Ｔｂ６（装着状態検出端子）がＬ（ロウ）レベルになることを検出することにより、交換レンズ２００が装着されたと判定する。また、アダプター３００は、カメラボディ１００から供給された電圧を変換して、装着された交換レンズ２００に対して給電する。
これにより、アダプター３００は、交換レンズ２００が装着されたことをカメラボディ１００に検出させる（通知する）ことができるとともに、カメラボディ１００から供給された電圧を変換して、交換レンズ２００に給電することができる。よって、第１実施形態によれば、レンズ交換式のカメラシステムにおいて、様々な種類の交換レンズ２００を、アダプター３００を介してカメラボディ１００に装着（接続）することにより適切に機能させることができる。
【００９４】
図３は、第１実施形態における装着検出処理の第２例を示すフローチャートである。
この図は、カメラシステム１において、カメラボディ１００にアダプター３００を介して装着されている交換レンズ２００が取外された場合の処理を示すフローチャートである。
以下、図３を参照して、カメラボディ１００にアダプター３００を介して交換レンズ２００が装着されている状態から、交換レンズ２００が取外された場合の処理を説明する。
【００９５】
カメラ制御部１５０は、交換レンズ２００が非装着であるか否か（取外されたか否か）を判定する処理を実行する（ステップＳ１２１）。なお、ステップＳ１２１において、交換レンズ２００が非装着ではない（装着されている）と判定されているうちは、カメラ制御部１５０は、ステップＳ１２１の処理を繰り返し実行する。
【００９６】
例えば、ユーザによりレンズ着脱釦３０６が押下されて、アダプター３００から交換レンズ２００が取外される（ステップＳ３２１）。これにより、アダプター制御部３５０とレンズ制御部２５０との間で実行されていた通信処理が中断される。すなわち、アダプター制御部３５０と交換レンズ２００との間の通信処理が可能な状態から不可能な状態（通信不成立）になる（ステップＳ２２２）。
【００９７】
次に、アダプター制御部３５０は、交換レンズ２００との間の通信処理が可能な状態から不可能な状態（通信不成立）になることに応じて、第２マウント部３０２に交換レンズ２００が装着されている状態から装着されていない状態（非装着の状態）になった（遷移した）ことを検出する（ステップＳ２２４）。
【００９８】
続いて、アダプター制御部３５０は、アダプター電源部３４０（レンズ駆動系電源スイッチ３４３）を制御して、レンズ駆動系電源Ｖｐの給電を停止させる（ステップＳ２２６）。また、アダプター制御部３５０は、アダプター電源部３４０（ＤＣ／ＤＣコンバータ部３４２）を制御して、レンズ制御系電源Ｖｃの給電を停止させる（ステップＳ２２８）。
【００９９】
次に、アダプター制御部３５０は、切替部３２０を導通状態（オン）から遮断状態（オフ）に切替える（ステップＳ２３０）。これにより、端子Ｔｂ６（装着状態検出端子）と端子Ｔａとを介してカメラ制御部１５０に接続されている装着検出信号ＲＤＹの電位（検出レベル）は、Ｌ（ロウ）レベルからＨ（ハイ）レベルに切替わる（ステップＳ２３２）。
【０１００】
カメラ制御部１５０は、ステップＳ１２１の判定処理において、端子Ｔｂ６（装着状態検出端子）がＨ（ハイ）レベルになったこと（装着検出信号ＲＤＹの電位（検出レベル）がＨ（ハイ）レベルになったこと）を、端子Ｔａ６を介して検出することにより、交換レンズ２００が非装着である（取外された）と判定して、ステップＳ１３２に処理を進める。
【０１０１】
次に、カメラ制御部１５０は、パワー系電源スイッチ１３０を制御して、アダプター３００へのパワー系電源ＰＷＲの給電を停止させる（ステップＳ１３２）。続いて、カメラ制御部１５０は、カメラ電源部１４０を制御して、アダプター３００に対する制御系電源ＶＤＤの給電を停止させる（ステップＳ１３４）。これにより、アダプター制御部３５０は、制御系電源ＶＤＤの給電を停止されることに応じて、リセット回路３５１の制御によりリセットされて動作を停止する（ステップＳ２３４）。
【０１０２】
このように、アダプター３００は、カメラボディ１００に対してアダプター３００を介して装着されていた交換レンズ２００が取外されたことを、通信処理ができなくなる（不成立になる）ことにより検出する。また、アダプター３００は、交換レンズ２００が取外されたことを検出することに応じて、切替部３２０を導通状態（オン）から遮断状態（オフ）に切替えるとともに、交換レンズ２００に対する給電を停止する。さらに、カメラボディ１００は、交換レンズ２００が取外されたことを、アダプター３００を介して検出することに応じて、アダプター３００に対する給電を停止する。
【０１０３】
よって、アダプター３００は、交換レンズ２００が取外されたことを検出することができる。また、アダプター３００は、交換レンズ２００が取外されたことを検出することにより交換レンズ２００に対する給電を停止させることができるとともに、交換レンズ２００が取外されたことをカメラボディ１００に検出させる（通知する）ことができる。また、アダプター３００は、交換レンズ２００が取外されたことを検出した場合に、切替部３２０を導通状態（オン）から遮断状態（オフ）に切替えるため、再び交換レンズ２００が装着された際に、交換レンズ２００が装着されたことをカメラボディ１００に検出させる（通知する）ことができる。
【０１０４】
図４は、第１実施形態における装着検出処理の第３例を示すフローチャートである。
この図は、カメラシステム１において、カメラボディ１００にアダプター３００を介して交換レンズ２００が装着されている状態においてスリープモードに遷移した場合の処理を示すフローチャートである。
以下、図４を参照して、スリープモードに遷移した場合の処理を説明する。
【０１０５】
ここで、スリープモードとは、カメラボディ１００の動作状態（動作モード）を、撮影処理を行うことが可能な動作モード（通常動作モード）に比して消費電力を低減させた、撮影処理行うことが不可能な動作モード（低消費電力モード）である。例えば、カメラボディ１００のメインスイッチ（不図示）がオンからオフに操作された場合に、カメラボディ１００およびカメラボディ１００に装着（接続）されている機器がスリープモードに遷移する。
【０１０６】
カメラボディ１００が動作中の状態において、カメラボディ１００に設けられているメインスイッチ（不図示）がオフ操作（オン→オフ）された場合（ステップＳ１５１）、カメラ制御部１５０は、スリープモードへの遷移を指示する制御指令を、アダプター制御部３５０に送信する（ステップＳ１５２）。
【０１０７】
アダプター制御部３５０は、スリープモードへの遷移を指示する制御指令をカメラ制御部１５０から受信した場合、アダプター電源部３４０（レンズ駆動系電源スイッチ３４３）を制御して、交換レンズ２００に対するレンズ駆動系電源Ｖｐの給電を停止させる（ステップＳ２５２）。次に、アダプター制御部３５０は、アダプター電源部３４０（ＤＣ／ＤＣコンバータ部３４２）を制御して、交換レンズ２００に対するレンズ制御系電源Ｖｃの給電を停止させる（ステップＳ２５４）。これにより、レンズ制御部２５０は、レンズ制御系電源Ｖｃからの給電が停止されることに応じて、リセット回路２５１の制御によりリセットされて動作を停止する（ステップＳ３５４）。
【０１０８】
続いて、アダプター制御部３５０は、切替部３２０を導通状態（オン）から遮断状態（オフ）に切替える（ステップＳ２５６）。なお、交換レンズ２００が装着されているため、端子Ｔｂ６（装着状態検出端子）は、交換レンズ２００内の抵抗２０５を介してカメラボディ１００内のパワー系グランドＰＧＮＤに電気的に接続されており、Ｌ（ロウ）レベルのままである。そして、アダプター制御部３５０は、スリープモードに遷移する（ステップＳ２５８）。
【０１０９】
また、カメラ制御部１５０は、スリープモードにおいても、交換レンズ２００が非装着であるか否か（取外されたか否か）を判定する処理を実行する（ステップＳ１５４）。なお、ステップＳ１５４において、交換レンズ２００が非装着ではない（装着されている）と判定されているうちは、カメラ制御部１５０は、ステップＳ１５４の処理を繰り返し実行する。なお、カメラ制御部１５０は、交換レンズ２００が非装着であるか否かを判定する処理を、常時実行するのではなく所定のサンプリング周期で断続的に実行してもよい。これにより、カメラ制御部１５０において消費される電力も低減することができる。
【０１１０】
スリープモードにおいて、アダプター３００に交換レンズ２００が装着された状態の場合（取外されていない場合）、スリープモードが継続される。一方、アダプター３００から交換レンズ２００が取外された場合（ステップＳ３５８）、端子Ｔｂ６（装着状態検出端子）は、交換レンズ２００内の抵抗２０５を介してカメラボディ１００内のパワー系グランドＰＧＮＤに電気的に接続されていた経路がなくなるため、Ｌ（ロウ）レベルからＨ（ハイ）レベルに切替わる（ステップＳ２６０）。すなわち、端子Ｔｂ６（装着状態検出端子）と端子Ｔａとを介してカメラ制御部１５０に接続されている装着検出信号ＲＤＹの電位（検出レベル）は、Ｌ（ロウ）レベルからＨ（ハイ）レベルに切替わる。
【０１１１】
カメラ制御部１５０は、ステップＳ１５４の判定処理において、端子Ｔｂ６（装着状態検出端子）がＨ（ハイ）レベルになったこと（装着検出信号ＲＤＹの電位（検出レベル）がＨ（ハイ）レベルになったこと）を、端子Ｔａ６を介して検出することにより、交換レンズ２００が非装着である（取外された）と判定して、ステップＳ１６２に処理を進める。
【０１１２】
次に、カメラ制御部１５０は、パワー系電源スイッチ１３０を制御して、アダプター３００へのパワー系電源ＰＷＲの給電を停止させる（ステップＳ１６２）。続いて、カメラ制御部１５０は、カメラ電源部１４０を制御して、アダプター３００に対する制御系電源ＶＤＤの給電を停止させる（ステップＳ１６４）。これにより、アダプター制御部３５０は、制御系電源ＶＤＤからの給電が停止されることに応じて、リセット回路３５１の制御によりリセットされて動作を停止する（ステップＳ２６４）。
【０１１３】
このように、アダプター制御部３５０は、スリープモードに遷移する場合、切替部３２０を導通状態（オン）から遮断状態（オフ）に切替える。つまり、アダプター３００は、切替部３２０を遮断状態（オフ）に制御しておくことで、交換レンズ２００が装着されているか否かに応じて、端子Ｔｂ６（装着状態検出端子）の検出レベルがＬ（ロウ）レベルまたはＨ（ハイ）レベルに切替わるようにする。
これにより、スリープモードにおいても、アダプター３００は、交換レンズ２００が取外されたことをカメラボディ１００に検出させる（通知する）ことができる。
【０１１４】
なお、スリープモードにおいて、カメラボディ１００のメインスイッチがオフからオンに操作された場合、例えば、カメラボディ１００は、スリープモードから通常動作モードへの復帰を指示する制御指令をアダプター制御部３５０に送信してもよい。また、アダプター制御部３５０は、通常動作モードへの復帰を指示する制御指令を受信することに応じて、切替部３２０を遮断状態（オフ）から導通状態（オン）に切替えた後、レンズ制御系電源Ｖｃの給電およびレンズ駆動系電源Ｖｐの給電をそれぞれ交換レンズ２００に対して開始するように制御してもよい。
これにより、カメラシステム１は、スリープモードから通常動作モードへ遷移（復帰）することができる。
【０１１５】
＜第２実施形態＞
次に、図５を参照して、カメラシステムの別の構成例を説明する。
図５は、第２実施形態によるカメラシステム１Ａの構成の一例を示すブロック図である。この図に示すカメラシステム１Ａは、アダプター３００Ａのアダプター電源部３４０Ａの構成のみが図１のアダプター電源部３４０に対して相違する。同図において図１の各部に対応する部分には同一の符号を付け、その説明を省略する。
【０１１６】
図５に示すカメラシステム１Ａは、レンズ交換式のカメラシステムであり、カメラボディ１００と、交換レンズ２００と、カメラボディ１００と交換レンズ２００との間に設けられ、カメラボディ１００と交換レンズ２００とに対してそれぞれ着脱可能なアダプター３００Ａと、を備えている。なお、カメラボディ１００および交換レンズ２００は、図１に示すカメラシステム１と同様の構成である。
【０１１７】
アダプター３００Ａは、図１に示すアダプター電源部３４０に代えて、アダプター電源部３４０Ａを備えていることのみが、図１に示すアダプター３００と相違し、その他の構成は同様である。
【０１１８】
アダプター電源部３４０は、端子Ｔｂ１を介して供給されるパワー系電源ＰＷＲの電圧、または端子Ｔｂ２を介して供給される制御系電源ＶＤＤの電圧から、交換レンズ２００に供給するためのレンズ制御系電源Ｖｃの電圧と、レンズ駆動系電源Ｖｐとの電圧をそれぞれ生成する。
【０１１９】
例えば、アダプター電源部３４０Ａは、レンズ駆動系電源用レギュレータ部３４１（Ｖｐｒｅｇ）と、ＤＣ／ＤＣコンバータ部３４２と、レンズ駆動系電源スイッチ３４３と、レンズ制御系電源用レギュレータ部３４５（Ｖｃｒｅｇ）と、レンズ制御系電源スイッチ３４６と、ダイオード３４７、３４８と、を備えている。
【０１２０】
レンズ駆動系電源用レギュレータ部３４１（Ｖｐｒｅｇ）は、パワー系電源ＰＷＲの電圧（例えば、７．４Ｖ）をレンズ駆動系電源Ｖｐの電圧（例えば、６Ｖ）に変換して出力する。レンズ駆動系電源スイッチ３４３は、アダプター制御部３５０の制御により、接続状態を導通状態と遮断状態とに切替える。そして、レンズ駆動系電源用レギュレータ部３４１により出力されたレンズ駆動系電源Ｖｐの電圧は、このレンズ駆動系電源スイッチ３４３を介して接続部３０２ｓの端子Ｔｃ１に供給される。これにより、アダプター制御部３５０は、レンズ駆動系電源スイッチ３４３を制御することにより、端子Ｔｃ１に対するレンズ駆動系電源Ｖｐの電圧の供給状態と供給停止状態とを切替える。
【０１２１】
ＤＣ／ＤＣコンバータ部３４２は、制御系電源ＶＤＤ（例えば、３．３Ｖ）の電圧をレンズ制御系電源Ｖｃ（例えば、５Ｖ）の電圧に変換（昇圧）して出力する。また、ＤＣ／ＤＣコンバータ部３４２により出力されたレンズ制御系電源Ｖｃの電圧は、ダイオード３４８を介して、接続部３０２ｓの端子Ｔｃ２と、絞り連動レバー駆動部３１０とにそれぞれ供給される。なお、ＤＣ／ＤＣコンバータ部３４２は、アダプター制御部３５０の制御により、レンズ制御系電源Ｖｃの電圧の供給状態と供給停止状態とを切替える。
【０１２２】
レンズ制御系電源用レギュレータ部３４５（Ｖｃｒｅｇ）は、パワー系電源ＰＷＲの電圧（例えば、７．４Ｖ）をレンズ制御系電源Ｖｃ（例えば、５Ｖ）の電圧に変換（降圧）して出力する。レンズ制御系電源スイッチ３４６は、アダプター制御部３５０の制御により、接続状態を導通状態と遮断状態とに切替える。そして、レンズ制御系電源用レギュレータ部３４５により出力されたレンズ制御系電源Ｖｃの電圧は、このレンズ制御系電源スイッチ３４６とダイオード３４７とを介して、接続部３０２ｓの端子Ｔｃ２と、絞り連動レバー駆動部３１０とにそれぞれ供給される。これにより、アダプター制御部３５０は、レンズ制御系電源スイッチ３４６を制御することにより、レンズ制御系電源用レギュレータ部３４５により出力されたレンズ制御系電源Ｖｃの電圧の供給状態と供給停止状態とを切替える。
【０１２３】
また、レンズ制御系電源用レギュレータ部３４５の出力端子はレンズ制御系電源スイッチ３４６を介してダイオード３４７のアノード端子に接続され、ＤＣ／ＤＣコンバータ部３４２の出力端子はダイオード３４８のアノード端子に接続され、且つダイオード３４７のカソード端子とダイオード３４８のカソード端子とが接続されている。
これにより、アダプター電源部３４０Ａは、レンズ制御系電源用レギュレータ部３４５の出力電圧とＤＣ／ＤＣコンバータ部３４２の出力電圧とに応じて、何れかにより生成されたレンズ制御系電源Ｖｃの電圧を出力する。
なお、アダプター制御部３５０は、アダプター電源部３４０Ａにおいて、レンズ制御系電源用レギュレータ部３４５およびＤＣ／ＤＣコンバータ部３４２のうちの何れからレンズ制御系電源Ｖｃの電圧を出力するかの制御をしてもよい。
【０１２４】
このように、アダプター電源部３４０Ａは、図１に示すアダプター電源部３４０と同様に、交換レンズ２００に供給するためのレンズ駆動系電源Ｖｐの電圧を、パワー系電源ＰＷＲの電圧から生成する。一方、アダプター電源部３４０Ａは、図１に示すアダプター電源部３４０とは異なり、交換レンズ２００に供給するためのレンズ制御系電源Ｖｃの電圧を、制御系電源ＶＤＤの電圧またはパワー系電源ＰＷＲの電圧から生成する。
【０１２５】
つまり、図５のアダプター電源部３４０Ａは、レンズ制御系電源Ｖｃの電圧を生成する構成が、図１のアダプター電源部３４０と相違する。しかし、アダプター電源部３４０Ａは、アダプター制御部３５０の制御により、アダプター電源部３４０と同様に給電の開始または停止などが可能である。
これにより、アダプター３００Ａを用いたカメラシステム１Ａの構成においても、第１実施形態と同様に、交換レンズ２００の装着を検出することができるとともに、装着された交換レンズ２００に対して給電して適切に機能させることができる。よって、第２実施形態によれば、レンズ交換式のカメラシステムにおいて、様々な種類の交換レンズ２００を、アダプター３００Ａを介してカメラボディ１００に装着（接続）することにより適切に機能させることができる。
【０１２６】
以上説明したように、本実施形態によれば、カメラボディ１００に対してアダプター３００（３００Ａ）が装着された場合、第１マウント部３０１に装着されたカメラボディ１００内の端子Ｔａ７および端子Ｔａ８（グランド電位となる端子）に対して、アダプター３００内の端子Ｔｂ７（第１端子）および端子Ｔｂ８（第２端子）がそれぞれ接続される。さらに、アダプター３００（３００Ａ）に交換レンズ２００が装着された場合、端子Ｔｂ７（第１端子）に切替部３２０を介して接続されているアダプター側マウントグランド３０８（第３端子）は、第２マウント部３０２に装着された交換レンズ２００内のレンズ側マウントグランド２０８に対して接続される。また、端子Ｔｂ８（第２端子）と接続されている端子Ｔｃ６（第４端子）は、第２マウント部３０２に装着された交換レンズ２００内の端子Ｔｄ６（グランド電位となる端子）に対して接続される。
【０１２７】
また、端子Ｔｂ６（装着状態検出端子）は、アダプター側マウントグランド３０８（第３端子）の電位に応じて、交換レンズ２００が装着されている状態であるか否かを示す検出レベルをカメラボディ１００の端子Ｔａ６を介してカメラ制御部１５０に対して提供する。
具体的には、端子Ｔｂ６（装着状態検出端子）は、抵抗３５２を介して第３端子に接続されており、切替部３２０が遮断状態である場合において、第３端子が、第２マウント部３０２に装着された交換レンズ２００内の回路を経て、第４端子、および第２端子を介してカメラボディ１００内のグランド電位となる端子に接続されることにより、カメラボディ１００内のグランド電位に応じた電位を、交換レンズ２００が装着されている状態であることを示す検出レベルとして提供する。すなわち、端子Ｔｂ６（装着状態検出端子）は、第２マウント部３０２に交換レンズ２００が装着されていない状態から装着されている状態になった場合に、カメラボディ１００内の基準電位に応じた電位を検出レベルとして提供する。
【０１２８】
つまり、カメラシステム１（１Ａ）において、アダプター３００（３００Ａ）内の端子Ｔｂ６（装着状態検出端子）が、交換レンズ２００が装着されているか否かに応じて、カメラボディ１００内のグランドに対して電機的に接続されるか否かがアダプター３００内の簡易な構成により切替わるようにした。そして、交換レンズ２００が装着された場合、端子Ｔｂ６（装着状態検出端子）が、装着された交換レンズ２００内の回路を経て、カメラボディ１００内のグランドに電気的に接続されることにより、Ｈ（ハイ）レベルからＬ（ロウ）レベルに切替わる。カメラボディ１００は、この端子Ｔｂ６（装着状態検出端子）がＬ（ロウ）レベルになることを検出することにより、交換レンズ２００が装着されたと判定する。
よって、アダプター３００（３００Ａ）は、カメラボディ１００と互換性のない交換レンズ２００であっても、交換レンズ２００が装着されたことをカメラボディ１００に検出させる（通知する）ことができる。すなわち、カメラシステム１（１Ａ）は、カメラボディ１００と互換性のない交換レンズ２００であっても、アダプター３００（３００Ａ）を介してカメラボディ１００に装着することによって複雑な通信処理を行わずとも簡易な構成により、交換レンズ２００が装着されたことを検出することができる。
【０１２９】
また、アダプター制御部３５０は、端子Ｔｂ６（装着状態検出端子）が、交換レンズ２００が装着されている状態であることを示す検出レベル（Ｌ（ロウ）レベル）になることに応じて、第２マウント部３０２に交換レンズ２００が装着されていない状態から装着されている状態への遷移を検出した場合、切替部３２０を遮断状態から導通状態に切替える。
よって、アダプター３００（３００Ａ）は、交換レンズ２００が装着された場合に、カメラボディ１００内のパワー系グランドＰＧＮＤと、交換レンズ２００内のパワー系グランドＰＧＮＤとを、アダプター３００（３００Ａ）を介して接続することができる。
【０１３０】
また、アダプター制御部３５０は、第２マウント部３０２に装着された交換レンズ２００との間で通信処理を行い、交換レンズ２００との間の通信処理が可能な状態から不可能な状態になることに応じて、第２マウント部３０２に交換レンズ２００が装着されている状態から装着されていない状態への遷移を検出する。そして、アダプター制御部３５０は、交換レンズ２００が装着されている状態から装着されていない状態への遷移を検出した場合、切替部３２０を導通状態から遮断状態に切替える。
つまり、アダプター３００は、第２マウント部３０２に装着されていた交換レンズ２００が取外されたことを、交換レンズ２００との間の通信処理ができなくなる（不成立になる）ことにより検出する。また、アダプター３００は、交換レンズ２００が取外されたことを検出することに応じて切替部３２０を導通状態（オン）から遮断状態（オフ）に切替える。これにより、端子Ｔｂ６（装着状態検出端子）がＬ（ロウ）レベルからＨ（ハイ）レベルに切替わる。
よって、アダプター３００（３００Ａ）は、交換レンズ２００が取外されたことを検出することができる。また、アダプター３００（３００Ａ）は、交換レンズ２００が取外されたことをカメラボディ１００に検出させる（通知する）ことができる。また、アダプター３００は、交換レンズ２００が取外されたことを検出した場合に、切替部３２０を導通状態（オン）から遮断状態（オフ）に切替えるため、再び交換レンズ２００が装着された際に、交換レンズ２００が装着されたことをカメラボディ１００に検出させる（通知する）ことができる。
【０１３１】
また、アダプター制御部３５０は、第２マウント部３０２に交換レンズ２００が装着されていない状態から装着されている状態への遷移を検出したことに応じて、交換レンズ２００に対する給電を開始させる。
よって、アダプター３００（３００Ａ）は、交換レンズ２００が第２マウント部３０２に装着されたことに応じて、交換レンズ２００に対して給電することができる。
【０１３２】
また、アダプター制御部３５０は、第２マウント部３０２に交換レンズ２００が装着されている状態から装着されていない状態への遷移を検出したことに応じて、交換レンズ２００に対する給電を停止させる。
よって、アダプター３００（３００Ａ）は、交換レンズ２００が第２マウント部３０２に取外されたことに応じて、交換レンズ２００に対する給電を停止することができる。
【０１３３】
また、アダプター３００（３００Ａ）は、交換レンズ２００に供給する電圧を生成するアダプター電源部３４０（３４０Ａ）を備えている。そして、アダプター制御部３５０は、アダプター電源部３４０（３４０Ａ）を制御することにより、交換レンズに対する給電を制御する。
これにより、アダプター３００（３００Ａ）は、交換レンズ２００に供給する電圧を、アダプター電源部３４０（３４０Ａ）において生成することができる。また、アダプター３００（３００Ａ）は、交換レンズ２００が装着されているか否かに応じて、交換レンズに対する給電を制御することができる。
【０１３４】
このように、本実施形態によれば、アダプター３００（３００Ａ）を介して交換レンズ２００が装着されたことを、カメラボディ１００側で検出することができる。また、本実施形態によれば、カメラボディ１００からアダプター３００（３００Ａ）を介して交換レンズ２００に対して必要な電源系統の電圧を供給することができる。
よって、本実施形態によれば、レンズ交換式のカメラシステムにおいて、様々な種類の交換レンズ２００を、アダプター３００（３００Ａ）を介してカメラボディ１００に装着（接続）することにより適切に機能させることができる。
【０１３５】
なお、上記実施形態において、交換レンズ２００内のパワー系グランドＰＧＮＤとレンズ側マウントグランド２０８とが、抵抗２０５を介して接続されている構成としたが、これに限られるものではない。例えば、交換レンズ２００内のパワー系グランドＰＧＮＤとレンズ側マウントグランド２０８とは、抵抗２０５に代えて、交換レンズ２００内の各部のＩＣ（Integrated Circuit）内部において低インピーダンスで接続されているものとしてもよい。また、交換レンズ２００内のパワー系グランドＰＧＮＤとレンズ側マウントグランド２０８とが直接に接続されている構成であってもよい。
【０１３６】
なお、上記実施形態における抵抗２０５を用いたプルダウン回路に代えて、トランジスターまたはＦＥＴ（Field effect transistor）等を含んで構成されるプルダウン回路としてもよい。
【０１３７】
なお、上記実施形態において、交換レンズ２００が装着された場合に抵抗３５２が接続される基準電位をグランド電位としたが、これに限られるものではない。例えば、基準電位は、交換レンズ２００が装着された場合に、カメラ制御部１５０によって装着検出信号ＲＤＹの電位がＬ（ロウ）レベルと判定可能となるような電位であればグランド電位以外であってもよい。また、交換レンズ２００が装着されたか否かを、装着検出信号ＲＤＹの電位に応じてカメラ制御部１５０によって判定できればよい。そのため、交換レンズ２００が装着されたか否かによって定まる検出レベルのＨ（ハイ）またはＬ（ロウ）の論理が上記実施形態に対して反転した構成であってもよく、抵抗３５２が接続される基準電位をＨ（ハイ）レベルとなるような電位（例えば、制御系電源ＶＤＤの電圧）として構成してもよい。
【０１３８】
なお、上記実施形態において、アダプター３００（３００Ａ）が、カメラボディ１００から供給される電圧から交換レンズ２００に対して供給する電圧を生成する構成としたが、これに限られるものではない。例えば、アダプター３００（３００Ａ）は、内部に搭載する電池から、交換レンズ２００に対して供給する電圧を生成する構成としてもよい。
【０１３９】
なお、交換レンズ２００は、ユーザに手動操作されることによってフォーカスレンズの位置を移動させるフォーカスリングを備えている構成としてもよい。また、交換レンズ２００またはアダプター３００は、ユーザに手動操作されることによって絞りの開口径（絞り値）を変更可能な、絞り環を備えている構成としてもよい。
【０１４０】
なお、上記実施形態のカメラシステム１（１Ａ）は、カメラボディ１００に対して交換レンズ２００がアダプター３００（３００Ａ）のみを介して接続されている構成であるが、これに限られるものではない。例えば、カメラボディ１００に対して交換レンズ２００が、アダプター３００（３００Ａ）と他の変換アダプター（テレコンバータ等）とを介して交換レンズ２００に接続されている構成としてもよい。
また、上記実施形態のアダプター３００（３００Ａ）は、光学系を備えていない構成であるが、光学系を備えている構成としてもよい。
【０１４１】
なお、図１および図５におけるカメラ制御部１５０、レンズ制御部２５０、またはアダプター制御部３５０は、専用のハードウェアにより実現されるものであってもよく、また、メモリおよびＣＰＵ（中央演算装置）により構成され、上述の各部の機能を実現するためのプログラムをメモリにロードして実行することによりその機能を実現させるものであってもよい。
【０１４２】
また、図１および図５におけるカメラ制御部１５０、レンズ制御部２５０、またはアダプター制御部３５０の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【０１４３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１４４】
以上、この発明の実施形態を図面を参照して詳述してきたが、具体的な構成はこの実施形態に限られるものではなく、この発明の要旨を逸脱しない範囲の設計等も含まれる。
【符号の説明】
【０１４５】
１,１Ａ  カメラシステム、１００  カメラボディ、２００  交換レンズ、３００,３００Ａ  アダプター、３０１  第１マウント部、３０２  第２マウント部、３２０  切替部、３４０  アダプター電源部（電源部）、３５０  アダプター制御部（制御部）、Ｔｂ７  端子（第１端子）、Ｔｂ８  端子（第２端子）、３０８  アダプター側マウントグランド（第３端子）、Ｔｃ６  端子（第４端子）
【図１】
2013171077.tif 000003
【図２】
2013171077.tif 000004
【図３】
2013171077.tif 000005
【図４】
2013171077.tif 000006
【図５】
2013171077.tif 000007